(57)【要約】      （修正有）【課題】ネックレスチェーンの絡みや外力による損傷を防止することによりネックレスの価値の低下を防止できるネックレス係止具を提供する。【解決手段】ネックレス係止具１０は、板状体１０Ａに２つのスリット１１Ａを離間させて形成し、各スリットの任意の場所に、スリットを介して通ずる貫通孔１２Ａを形成する。板状体は、弾性変形可能な材質で形成される。２つの貫通孔１２Ａへネックレスチェーン１０１を挿通し、ネックレスチェーンを２点支持により係止する。【選択図】図１
0003199501.tif 000002
【実用新案登録請求の範囲】
【請求項１】
弾性変形可能な板状体にその外縁から所定深さだけ切り込んだ２つのスリットを離間させて形成するとともに、
各スリットの任意の深さ位置に該スリットの幅より拡張された貫通孔を形成し、
これらのスリットを介してこの貫通孔にネックレスチェーンを挿通することにより、板状体にネックレスを係止するネックレス係止具。
【請求項２】
前記スリットを３つ以上、隣り合う該スリットの離間長さを等しくして、前記板状体に形成した請求項１に記載のネックレス係止具。
【考案の詳細な説明】
【技術分野】
【０００１】
この考案はネックレス係止具、詳しくはネックレスの着脱時、保管時にネックレスの損傷を防止するネックレス係止具に関する。
【背景技術】
【０００２】
現在、市販されているネックレスはデザインや大きさが多種多様である。また、近年の貴金属価格の高騰により、特に市販されているネックレスチェーンの幅は０．５ｍｍ〜１．９ｍｍと非常に細くなる傾向にある。よって、ネックレスチェーンの絡みやネックレスの試着時におけるネックレスチェーンに加えられる外力によって、容易にネックレスが損傷（例えば、ネックレスチェーンの断線）するため、ネックレスの保管、試着は慎重に行われる。
【０００３】
そこで、ネックレスの保管などに関しては従来より、特許文献１のようなプレートが知られている。特許文献１には、スポンジシートの表面に柔軟な高分子材料製のシートを固着したプレートに切れ目を介して通じる孔を適宜数、適宜の配置に設け、ネックレスチェーンを、切れ目を介して孔に挿通することで、プレートへの装着を可能とするものである。
【先行技術文献】
【特許文献】
【０００４】
【特許文献１】実開昭６２−１９７９５８号公報
【考案の概要】
【考案が解決しようとする課題】
【０００５】
しかしながら、特許文献１に記載のプレートは、ネックレスをお客さんに見せるための展示プレートである。つまり、展示プレートからのネックレスの着脱を容易とすることで、ネックレスの販売の容易性を高めるものであり、ネックレスの損傷について考慮されていない。
ネックレスの損傷は、ネックレスの価値を低下させることである。このため、ネックレスの販売時・保管時にネックレスの損傷を防ぐことが経済的損失の回避の面から重要視されている。
【０００６】
そこで、考案者は、ネックレスチェーンの絡み等によるネックレスの損傷に着目し、離間した２つのスリット部に貫通孔を形成し、この貫通孔にネックレスチェーンを挿通させることでネックレスチェーンの絡み等を回避し、その結果、ネックレスの損傷を回避できることを知見し、この考案を解決させた。
【０００７】
この考案は、ネックレスチェーンの絡み等によるネックレスの損傷を回避するネックレス係止具を提供することを目的とする。
【課題を解決するための手段】
【０００８】
請求項１に記載の考案は、弾性変形可能な板状体にその外縁から所定深さだけ切り込んだ２つのスリットを離間させて形成するとともに、各スリットの任意の深さ位置に該スリットの幅より拡張された貫通孔を形成し、これらのスリットを介してこの貫通孔にネックレスチェーンを挿通することにより、板状体にネックレスを係止するネックレス係止具である。
【０００９】
請求項１に記載の考案によれば、ネックレス係止具は、２本のスリットを板状体の所定位置に離間させて形成する。２本のスリットにはそれぞれ貫通孔が形成されている。この貫通孔にネックレスチェーンを挿通する。これにより、ネックレスチェーンが２点により板状体に係止されることになり、その後、ネックレス係止具に巻きつけても、ネックレスチェーンが絡まることがない。このため、ネックレスチェーンの断線を含むネックレスの損傷を回避することができる。
ここでいうネックレスとは、ネックレスチェーンと呼ばれる紐状の部材を有し、首に着ける装身具である。例えば、ペンダント、ラリエットなどを含む。ペンダントアクセサリ（ペンダントヘッド）や留め金具等の有無は問わない。
板状体は、板材の表裏面を平たく加工したものである。板状体は、弾性変形可能な材質であれば、特に材質は問わず、プラスチック、金属、木材等が挙げられる。プラスチック製であれば、スリットなどの加工は容易であり、かつ耐久性も高く係止具として好適である。板状体の厚さ、形状も任意である。例えば矩形、円形であってもよく、動物の顔型などの不定形であってもよい。例えばパンダの顔を模した板状体であれば、その目の部分に貫通孔を形成するようデザインすることができる。その他、板状体の表面には図形、文字などを配置することもでき、着色やビーズ貼付、ジュエリーシールなどにより装飾効果を加えることもできる。チェーン留め金具としては、開閉フック式、スライドピン式など任意に採用することができる。また、板状体にはポケットを付設することもできる。ポケットにペンダントヘッドやチェーンの残部を収納することが便利である。これはネックレスの格納において好都合となる。さらに、板状体は矩形とした場合、長辺にスリットを形成するが短辺は、この長辺より短くすることで、収納や陳列などに好適となることがある。陳列を目的とする場合は、板状体の一部に引っかけ部分を例えば、フック形状とし、また突出片に穴を明ける構成としてもよい。
スリットは、板状体にその外縁より内方に向かって所定深さだけ切れ込みを入れることで形成される。スリットの全体としての形状は特に問わない。直線状のスリット、曲線状のスリットでもよい。スリットの幅は、板状体を曲げてスリットを開いたときネックレスチェーンが挿通できるものであれば特に問わない。
２本のスリット間の間隔（離間長さ）は特に問わないが、ネックレスの留め金具の長さと略同じであることが好ましい。ネックレスの販売時に、展示されているネックレスの留め金具を外し（連結されていない状態で）ネックレス係止具に係止しておけば、ネックレスの試着のための留め金具のロック・アンロックの操作を行わずに、一方のスリットからチェーンを外すだけで、また、スリットにチェーンを挟み込むだけで、ネックレスの試着、脱着ができる。これにより、ネックレスチェーンに加わる負荷を抑えることができ、その結果、ネックレスチェーンの断線を含むネックレスの損傷を防止することができる。
貫通孔の形状も特に問わない。貫通孔の大きさは、スリット幅より広くネックレスチェーンを係止することができ、掛止した際に、ネックレスチェーンが貫通孔に固定できる程度の大きさであれば特に問わない。貫通孔は大きさを変えて２つ以上形成することもできる。異なる太さのチェーンに対応可能とすることができる。
【００１０】
請求項２に記載の考案は、前記スリットを３つ以上、隣り合う該スリットの離間長さを等しくして、前記板状体に形成した請求項１に記載のネックレス係止具である。
【００１１】
請求項２に記載の考案によれば、スリットを３本以上形成することで、留め金具を有するネックレスでは、留め金具の長さに応じたスリットにネックレスチェーンを挿通することができる。すなわち、３つ以上のスリットが板状体の一辺の外縁に等間隔で配設されているため、例えば左端のスリット（貫通穴）にチェーンの一部を係止した場合、左から２番目のスリット貫通穴にチェーンの他の部分を挿通係止すると、これらスリット間の間隔が最も短い。左から３番目のスリット貫通穴にネックレスチェーンの他部を通せば、スリット間隔は２倍の長さになる。つまり、留め具の長さが短い場合と、長い場合とに対応させてネックレスチェーンが挿通係止するスリット位置を選ぶことができる。留め金具の長さにマッチしたスリット貫通穴位置を選ぶことで、ネックレスチェーンの一方をスリットに係止し、残りの他方をスリットから外し、首への脱着がきわめて容易になる。細いネックレスチェーンに使用される留め金具も小さくなり、そのロック・アンロックには相当の手間がかかることを、この考案にあっては、回避することができる。これは、外出前に衣装に合わせてネックレスを選択する際、その選択に容易となり、きわめて好便である。これは、ネックレスチェーンの絡み（また、絡みによる切断）や、ネックレスチェーンによるヘッドの損傷などを未然に防止できることともなる。
【考案の効果】
【００１２】
請求項１に記載の考案によれば、ネックレス係止具は、２本のスリットを板状体に形成する。２つのスリットにはそれぞれ貫通孔が形成されている。この貫通孔にネックレスチェーンを挿通する。これにより、ネックレスチェーンが離間した２点により板状体に掛止されることになり、その後、該ネックレス係止具（板状の本体：板状体）に巻きつけても、ネックレスチェーンが絡まることがない。このため、ネックレスの損傷を回避することができる。
【００１３】
請求項２に記載の考案によれば、スリットを３本以上形成することで、仮にネックレスに留め金を有していたとしても、該留め金の長さに応じてスリットにネックレスを挿通することができる。また、ネックレスの長さに応じて２カ所のスリットだけでなく３カ所以上のスリットを使用して、チェーンの絡みを極力防止することができる。
【図面の簡単な説明】
【００１４】
【図１】（ａ）この考案の実施例１に係るネックレス係止具の平面図である。（ｂ）この考案の実施例１に係るネックレス係止具の別形態のものを示す平面図である。
【図２】（ａ）この考案の実施例１に係るネックレス係止具の使用状態を示す図である。（ｂ）この考案の実施例１に係るネックレス係止具の別の使用状態を示す図である。
【図３】この考案の実施例２に係るネックレス係止具の平面図である。
【考案を実施するための形態】
【００１５】
以下、この考案の実施例を具体的に説明する。
【実施例１】
【００１６】
図１の（ａ）に示すように、この考案の実施例１に係るネックレス係止具１０は、板状体１０Ａにスリット１１Ａが形成されている。そして、当該スリット１１Ａにはスリットを介して通ずる貫通孔１２Ａが形成されている。
【００１７】
板状体１０Ａは、平面視して略矩形のプラスチック板製であって、その四隅に面取り加工が施されている。板状体１０Ａは、厚さ０．５ｍｍ程度、長さ約５ｃｍ、幅が約２．７ｃｍである。この板状体１０Ａにはスリット１１Ａが所定間隔離れて２本形成されている。
２本のスリット１１Ａは、板状体１０Ａに直線状に形成され、スリットの長さは約０．６ｃｍ、幅は約０．３ｃｍである。スリットの先端には貫通孔１２Ａが直径０．８ｃｍの大きさで形成されている。
板状体１０Ａの平面形状は、長さ方向の中央を通り、幅方向に対して同方向の軸を対称軸とする線対称の形状である。
２本のスリット間の長さまたは距離（一方のスリットの中央部分と他方のスリットの中央部分間の長さ）は、ネックレス１００の留め金１０２の長さと同じである。貫通孔１２Ａ同士の距離も留め金具１０２の長さと同じとしてある。
【００１８】
この考案の実施例１に係るネックレス係止具１０の使用例を図２に示す。図２の（ａ）に示すように、ネックレス係止具１０に形成されたスリットを介してネックレスチェーン１０１を２つの貫通孔に挿通する。ペンダント部１０３をネックレス係止具１０の表面側に吊り下げた場合、留め金１０２部分は、ネックレス係止具１０の裏面側に位置するとともに、このネックレス係止具１０に接触した状態となる。
このようにネックレス係止具１０にネックレスチェーン１０１を２点支持により係止することになり、その後該ネックレス係止具１０にネックレスチェーン１０１を巻きつけても、ネックレスチェーン１０１が絡まることがない。このため、ネックレス１００の損傷を防止することができる。
【００１９】
２本のスリット間の長さ（一方のスリットの中央部分と他方のスリットの中央部分間の長さ）は、留め金１０２の長さと同じである。このため、ネックレス１００の販売時、展示されているネックレス１００の留め金１０２を外し（ネックレスチェーン１０１が連結されていない状態で）ネックレス係止具１０に係止しておけば、ネックレス１００の試着の際に留め金１０２の操作を行わずに済む。このため、ネックレスチェーン１０１に加わる負荷を抑えることができ、その結果、ネックレスチェーン１０１の断線を含むネックレス１００の損傷を防止することができる。
【００２０】
なお、この考案の実施例１に係るネックレス係止具１０を２個使用して、図２の（ｂ）に示すように留め金１０２近傍を一方のネックレス係止具１０により係止し、他方のネックレス係止具１０は、ペンダント部１０３近傍を係止することもできる。この場合、ネックレスのチェーン１０１を一方のネックレス係止具１０に巻きつけることにより、ペンダント部１０３によるネックレスチェーン１０１の損傷を防止することができる。
【００２１】
また、この考案の実施例１に係るネックレス係止具１０は、略矩形状のネックレス係止具１０について説明したが、図１の（ｂ）に示すように、このネックレス係止具１０全体を任意のキャラクターの形状であっても、この考案の機能、効果を発揮する。また、スリットの先端に貫通孔１２Ａを１つ形成するものについて説明したが、図１の（ｂ）に示すように、スリット１１Ｂの先端にある貫通孔１２Ｂとは別に、この貫通孔１２Ｂの直径より小径の小径貫通孔１２Ｂｂを形成してもよい。この場合、ネックレスチェーン１０１の幅（太さ）に応じて、適切な大きさの貫通孔によりネックレスチェーン１０１を係止するため、よりネックレス１００の損傷を防止することができる。
【００２２】
なお、この実施例１に係るネックレス係止具１０に、該ネックレス係止具１０を収納する収納袋を取り付けてもよい。この場合、ネックレス１００をネックレス係止具１０に巻きつけた状態のままで、他のネックレスと接触させずに保存することができ、よりネックレス１００の損傷を防止することができる。この場合、収納袋は、ネックレス１００の種類等を容易に識別できるように透明な材質で形成することが好ましい。
【実施例２】
【００２３】
図３に示すように、この考案の実施例２に係るネックレス係止具２０は、平面視して略矩形であって、その四隅に面取り加工が施された板状体２０Ａに、スリット２１Ａが４本形成されている。この板状体２０Ａは、厚さ０．５ｍｍ程度、長さ約５ｃｍ、幅が約２．７ｃｍの大きさのプラスチック製である。
４本のスリット２１Ａは、板状体２０Ａに直線状に形成され、スリット２１Ａの長さは約０．６ｃｍ、幅は約０．３ｃｍである。スリット２１Ａの先端には貫通孔２２Ａが直径０．８ｃｍ大きさで形成されている。隣り合うスリット２１Ａ間の離間長さはすべて等しくなるように、４本のスリット２１Ａが位置づけられる。
隣り合う２本のスリット２１Ａ間の長さ（一方のスリット２１Ａの中央部分と他方のスリット２１Ａの中央部分間の長さ）は、ネックレス１００Ａの留め金１０２Ａの長さと同じである。
また、両端のスリット２１Ａ間の長さ（一端側のスリット２１Ａの中央部分と他端側のスリット２１Ａの中央部分間の長さ）は、別のネックレス１００Ｂの留め金１０２Ｂの長さと同じである。
その他の構造、作用、効果は実施例１と同様であるため省略する。
【産業上の利用可能性】
【００２４】
この考案のネックレス係止具は、ネックレスの損傷を防止することによりネックレスの価値の低下を防止する技術として有用である。
【符号の説明】
【００２５】
１０，２０  ネックレス係止具、
１０Ａ，１０Ｂ，２０Ａ  板状体、
１１Ａ，１１Ｂ，２１Ａ  スリット、
１２Ａ，１２Ｂ，２２Ａ  貫通孔、
１２Ｂｂ  小径貫通孔、
１００，１００Ａ，１００Ｂ  ネックレス、
１０１  ネックレスチェーン。
【図１】
0003199501.tif 000003
【図２】
0003199501.tif 000004
【図３】
0003199501.tif 000005